(57)【要約】【課題】踵部分より爪先部分を高くすることによる利点を活かしつつ、歩行する際に安全で、かつ歩行による疲労を軽減することができるシューズの提供を図る。【解決手段】発泡体好ましくは発泡ウレタンあるいは発泡ゴムからなる靴底を有する健康シューズであって、靴底の踏付面における母趾球部に対応する踏付部を膨らみの頂点として、踵部及び爪先部の両方向から該頂点へ向けて傾斜を設けた構成を採用する。その際の踵部の傾斜角度は、２０°から３０°が好ましく、また、歩行時の安全面を考慮し、発泡体からなる靴底の横幅を靴幅より広く成型することが望ましい。さらに、発泡体の発泡倍率は２０倍から４０倍程度が望ましい。【選択図】図１
0003105309.tif 000002
【実用新案登録請求の範囲】
【請求項１】
発泡体からなる靴底を有する健康シューズであって、靴底の踏付面における母趾球部に対応する踏付部を膨らみの頂点として、踵部及び爪先部の両方向から該頂点へ向けて傾斜を設けたことを特徴とする健康シューズ。
【請求項２】
前記踵部の傾斜の角度が２０°から３０°の範囲であることを特徴とする請求項１に記載の健康シューズ。
【請求項３】
前記発泡体が発泡ウレタンあるいは発泡ゴムであることを特徴とする請求項１または請求項２に記載の健康シューズ。
【請求項４】
前記発泡体の発泡倍率が２０倍から４０倍の範囲であることを特徴とする請求項１から請求項３に記載の健康シューズ。
【請求項５】
前記発泡体からなる靴底の横幅が靴幅よりも広く成型されていることを特徴とする請求項１から請求項４に記載の健康シューズ。
【考案の詳細な説明】
【技術分野】
【０００１】
本考案は、健康に資するシューズに関し、詳しくは日常の歩行運動において脚をストレッチ及び鍛錬することができるシューズに関するものである。
【背景技術】
【０００２】
近年、足の爪先を上方へ向けることで、アキレス腱なかんずくふくらはぎ等の脚の裏側全体が伸ばされ、脚のシェイプアップや身体の健康に大変有効であることが判明している。そこで、通常踵部分が爪先部分よりも比較的高い靴とは逆に、爪先部分の方が踵部分より高い靴がいくつか考案されている。これらはいずれも、靴底の踵部分から爪先方向へ傾斜を設ける構造を採用している。
【０００３】
しかしながら、かかる従来考案の靴は、地面と爪先部分との間に傾斜形成のための障害物が存在するため、実際の使用に際して爪先で地面を蹴ることが容易ではなくなり、とても歩きづらいく実用化されていないのが現状である。また、形成された傾斜により、歩行する際の身体の上下動が通常の靴よりも大きくなって、違和感を感じるとともにバランスをとる必要も生じて、高齢者が着用した場合にはかかるバランス感覚の衰えによる危険が伴うこととなる。
【特許文献１】登録実用第３０３６２９１号公報
【考案の開示】
【考案が解決しようとする課題】
【０００４】
上記問題点に鑑み、本考案は、踵部分より爪先部分を高くすることによる利点を活かしつつ、歩行する際に安全で、かつ歩行による疲労を軽減することができるシューズを提供することを目的とする。
【課題を解決するための手段】
【０００５】
前記目的を達成するため、本考案は、発泡体からなる靴底を有する健康シューズであって、靴底の踏付面における母趾球部に対応する踏付部を膨らみの頂点として、踵部及び爪先部の両方向から該頂点へ向けて傾斜を設けた構成となっている。
【０００６】
また、本考案は、前記踵部の傾斜の角度が２０°から３０°の範囲である構成を採用することもできる。
【０００７】
さらに、本考案は、前記発泡体が発泡ウレタンあるいは発泡ゴムである構成を採ることもできる。
【０００８】
そしてまた、本考案は、前記発泡体の発泡倍率が２０倍から４０倍の範囲である構成を採用することができる。
【０００９】
またさらに、本考案は、前記発泡体からなる靴底の横幅が靴幅よりも広く成型されている構成とすることもできる。
【考案の効果】
【００１０】
本考案にかかる健康シューズによれば、爪先を踵よりも高く維持することによる利点、すなわち、アキレス腱並びにふくらはぎ等の脚の裏側全体が伸びることによる脚全体のストレッチ効果に資し、また、脚の各筋肉を引き締めシェイプアップ及び下半身強化に繋がり、さらには脚の変形を防止して美しい脚線美を得ることが可能となる。
【００１１】
また、脚の筋肉が活性化されて血流が良くなり、脚だけでなく体全体の健康アップを図ることができると同時に、脚全体の疲労回復を図ることが可能となる。
【００１２】
さらに、足の爪先を高くした状態で歩行すると、背筋が伸びて姿勢が良くなると同時に、後傾の姿勢を前傾に保とうとする働きにより、自然と腹部の筋肉に力が入りお腹周りが引き締まって、腹部のシェイプアップにも大変な効果が発揮される。
【００１３】
そして、靴底の材質として発泡体好ましくは発泡ウレタンあるいは発泡ゴムを用いることにより、従来における同様の靴の問題点であった歩行時の違和感や安全面を改善し、また、歩行時における足の裏に加わる衝撃を和らげて、歩行による疲労を軽減するという効果を奏する。
【考案を実施するための最良の形態】
【００１４】
以下、本考案にかかる健康シューズを図面に基づいて説明する。
【００１５】
図１は、本考案にかかる健康シューズ１を示す側面図である。該健康シューズ１は、靴本体２と靴底３とから構成されている。靴本体２は、運動靴やサンダル等、特に限定されるものではない。靴底３は、材質として発泡体により成型され、靴底３の踏付面における母趾球部に対応する踏付部を膨らみの頂点Ｋとして、踵部Ｌ２及び爪先部Ｌ１の両方向から該頂点Ｋへ向けて傾斜が設けられている。本考案にかかる健康シューズ１を着用すると、地面Ｆと踵部Ｌ２が接地し、爪先部Ｌ１は地面Ｆから離れた箇所に位置する。すなわち、足の爪先が踵よりも上方に位置することとなる。
【００１６】
ここで、足の爪先を踵よりも上方に位置させることによる利点を説明する。足の爪先を踵より上方へ向けると、アキレス腱を始めふくらはぎ等の脚の裏側全体が伸ばされ、脚のシェイプアップ、下半身強化、脚の変形防止に効果を発揮し、また、脚の筋肉が活性化されて脚だけでなく体全体の健康増進を図ることができ、さらには、脚全体の疲労回復を図るのに大変有効であることが判明している。そしてまた、足の爪先を踵よりも上方に位置させた状態で歩行すると、後傾の姿勢を前傾に保とうとする働きにより、自然と腹部の筋肉に力が入ってお腹周りが引き締まる。すなわち、腹部のシェイプアップにも大変有効であることが判っている。
【００１７】
踵部Ｌ２の傾斜角度θは２０°から３０°の範囲が望ましい。足の爪先部Ｌ１を踵部Ｌ２よりも上方へ向けることによる作用効果を奏するためには、少なくとも２０°以上の角度を必要とし、２０°未満であるとほとんど効果は発揮しないからである。また、傾斜角度θを３０°より大きくすると、かえってアキレス腱や脚の筋肉に負担を与えて傷めてしまう危険があり、また、起立姿勢が後傾になりすぎて安定した起立状態を保てなくなるからである。
【００１８】
靴底３として使用する発泡体の材質は、特に限定するものではないが、発泡ウレタンあるいは発泡ゴムが好ましい。これら以外の発泡体、例えば発泡スチロールやスポンジであっても、本考案にかかる健康シューズ１の靴底３に採用することは可能であるが、靴底３としての強度や磨耗等を考慮すると、発泡ウレタンあるいは発泡ゴムが最適である。
【００１９】
尚、前記発泡体の発泡倍率は２０倍から４０倍の範囲であることが望ましい。発泡倍率を２０倍より低くした場合、例えば１５倍程度とすると、発泡体の弾性が強くて軟らかくなりすぎて、靴底３として使用すると、接地した際に不安定な状態となって脚がふらつく危険がある。逆に、発泡倍率を４０倍より高くした場合、例えば５０倍にすると、今度は発泡体の弾性が弱くて硬くなってしまい、靴底３として使用すると、歩行時のクッション性がなく身体の上下動が激しくなって違和感を感じ、また、バランスを崩して転倒の危険がある。したがって、クッション性や安全性、安定性や磨耗等に鑑み、本考案にかかる健康シューズ１の靴底３に使用する発泡体の発泡倍率は、２０倍から４０倍の範囲とすることが最適である。
【００２０】
図２は、本考案にかかる健康シューズ１を示す平面図である。該健康シューズ１の靴底３の横幅が、母趾球部に対応する箇所を最大として、靴本体２の靴幅よりも広く構成されている。すなわち、爪先部Ｌ１において靴本体２の靴幅と靴底３の横幅とは一致しており、該爪先部Ｌ１から母趾球部に対応する箇所に行くにつれて靴底３の横幅の方が靴幅よりも徐々に広くなる。そして、母趾球部に対応する箇所を過ぎると、今度は逆に靴底３の横幅は徐々に狭まり、踵部Ｌ２において靴本体２の靴幅と靴底３の横幅とが再び一致する。かかる構成を採ることによって、靴底３の材質として弾性材料である発泡体を用いることによる横ぶれ等の歩行時の不安定状態の発生という問題を解消し、安定した歩行が確保できることとなる。
【００２１】
図３及び図４は、本考案にかかる健康シューズ１の図２のＡＡ′における部分断面図であり、図３は靴底３の側面を略垂直形状とした場合を示しており、図４は靴底３の側面を末広形状とした場合を示している。いずれの場合も靴本体２の靴幅よりも靴底３の横幅の方が広い形状として構成されており、その効果は上記の通りである。
【００２２】
図５は、本考案にかかる健康シューズ１を着用しての歩行状態を示す説明図である。まず、図５（ａ）に示すように、足を踏み出し地面Ｆに踵部Ｌ２を接地した段階で頂点Ｋより踵側の靴底３も同時に接地する。このとき、靴底３の頂点Ｋにおける高さｈは最大を維持している。次いで、図５（ｂ）に示すように、踵部Ｌ２から爪先部Ｌ１へ体重移動がなされる。このとき、靴底３は発泡体の弾性作用により、頂点Ｋにおいて押し潰される格好となり、該頂点Ｋにおける高さｈが低くなる。これにより、歩行時の身体の上下動は少なくなって違和感なく歩行でき、また、かかる靴底３のクッション性により足の裏に加わる衝撃を和らげて、歩行による疲労が軽減される。最後に、図５（ｃ）に示すように、爪先部Ｌ１へ完全に体重移動がなされ、該爪先部Ｌ１により地面Ｆが蹴られることとなる。このとき、頂点Ｋより爪先側の靴底３が接地する状態となり、靴底３の頂点Ｋにおける高さｈは再び最大の状態に戻る。
【００２３】
上記の通り、本考案にかかる健康シューズ１を着用した場合に、足の爪先を踵よりも上方に位置させることによる利点だけではなく、歩行時の違和感がなくなると同時に足の裏に加わる衝撃を和らげ歩行による疲労が軽減され、歩行がスムーズに行われるという側面からも大変に効果を発揮することとなる。
【図面の簡単な説明】
【００２４】
【図１】本考案にかかる健康シューズを示す側面図である。
【図２】本考案にかかる健康シューズを示す平面図である。
【図３】本考案にかかる健康シューズの一の実施形態にかかる図２のＡＡ′における部分断面図である。
【図４】本考案にかかる健康シューズの他の実施形態にかかる図２のＡＡ′における部分断面図である。
【図５】本考案にかかる健康シューズによる歩行状態を示す説明図である。
【符号の説明】
【００２５】
１    健康シューズ
２    靴本体
３    靴底
Ｆ    地面
Ｋ    頂点
Ｌ１  爪先部
Ｌ２  踵部
ｈ    頂点Ｋの高さ
θ    傾斜角度
【図１】
0003105309.tif 000003
【図２】
0003105309.tif 000004
【図３】
0003105309.tif 000005
【図４】
0003105309.tif 000006
【図５】
0003105309.tif 000007